(57)【特許請求の範囲】
【請求項１】
入金時に貨幣を収納し出金時に貨幣を払い出す貨幣収納部、及び入金時に前記貨幣収納部の満杯になった金種の過剰貨幣を収納するオーバーフロー部を備えた貨幣処理装置において、
前記貨幣収納部に保有する貨幣の金種毎及び合計の金額を現金在高として記憶し、前記オーバーフロー部に保有する貨幣の金種毎及び合計の金額をオーバーフロー部在高として記憶し、前記貨幣収納部及び前記オーバーフロー部に保有すべき貨幣の合計金額を所要在高として記憶する記憶部と、
入金処理時は前記貨幣収納部へ収納した貨幣枚数に応じて前記記憶部の現金在高及び所要在高を更新すると共に、前記オーバーフロー部へ収納した貨幣があればその収納貨幣に応じて前記オーバーフロー部在高を更新し、出金処理時は前記貨幣収納部から投出した貨幣枚数に応じて前記記憶部の現金在高及び所要在高を更新し、オーバーフロー回収処理時は前記現金在高及びオーバーフロー部在高を更新し、オーバーフロー補充処理時は前記現金在高を更新すると共に前記オーバーフロー部へ収納した貨幣があればその収納枚数に応じて前記オーバーフロー部在高を更新する演算処理手段と、
精算処理時に前記現金在高と前記所要在高とを比較し、その比較結果を出力する比較手段と、
前記比較手段の比較結果を出力する出力手段と
を具備したことを特徴とする貨幣処理装置。
【請求項２】
請求項１記載の貨幣処理装置において、前記出力手段は少なくとも表示部、印字部またはインターフェイス部からなっていることを特徴とする貨幣処理装置。
【発明の詳細な説明】
【０００１】
【発明の属する技術分野】
本発明は、入金時に貨幣を収納し出金時に貨幣を払い出す貨幣収納部、及び入金時に貨幣収納部の満杯になった金種の過剰貨幣を収納するオーバーフロー部を備えた貨幣処理装置に関するものである。
【０００２】
【従来の技術】
例えばＰＯＳ方式（販売時点販売管理方式）のもとで用いられる貨幣処理装置にあっては、内部の現金在高を管理するために、内部に保有する貨幣の在高を現金在高として記憶し、入金処理時、貨幣収納部が満杯の金種はそれをオーバーフロー部へ収納し、その在高をオーバーフロー部在高として記憶する。各在高は、貨幣の収納・払出に応じて更新される。そして、出金処理を繰り返し、出金用の貨幣が残り少なくなってくると、入金時にオーバーフロー部へ収納した貨幣をオーバーフロー部から取り出すオーバーフロー回収を行った後、その取り出した貨幣を貨幣収納部へ補充するオーバーフロー補充処理を行い、それぞれの処理に応じて現金在高とオーバーフロー部在高を更新し、オーバーフロー部から取り出した貨幣を貨幣収納部に移して出金用の貨幣にする。この場合に問題となるのは、貨幣処理装置の使用者のモラルが高いとは限らないということである。つまり、オーバーフロー部から取り出した貨幣の全額を貨幣収納部に移すべきであるのに、取り出した貨幣の一部をくすねようとする者が現実問題として存在することである。このようにオーバーフロー回収及びオーバーフロー補充があった場合、その前後で現金在高が正しいかどうかのチェックは従来オペレータが行い、正しくなかった場合、営業中に装置運用を停止して原因調査をしていた。
【０００３】
【発明が解決しようとする課題】
営業時間中に行うオーバーフロー回収やオーバーフロー補充処理が正しく行われたかどうかは、精算時にチェックする現金在高と装置内の現金との照合チェックでは分かりにくいという問題点があった。また、営業時間中に装置内の現金在高が正しいかどうかをチェックする作業は、オペレーターにとって大きな負担となっていた。現金在高が正しくなかった場合は、営業時間中に装置運用を停止して原因調査を行うので、客を待たせているときは特にオペレータにとって負担となっていた。
【０００４】
本発明は上述の事情を考慮してなされたものであり、その目的は、オペレ一夕の負担を軽減し、営業中に装置運用を停止することなく、オーバーフロー回収やオーバーフロー補充の前後で装置内の現金在高が正しかったか否かを、営業時間外にチェックできる貨幣処理装置を提供することにある。
【０００５】
【課題を解決するための手段】
上記課題を解決するために本発明にかかる貨幣処理装置は、入金時に貨幣を収納し出金時に貨幣を払い出す貨幣収納部、及び入金時に前記貨幣収納部の満杯になった金種の過剰貨幣を収納するオーバーフロー部を備えた貨幣処理装置において、前記貨幣収納部に保有する貨幣の金種毎及び合計の金額を現金在高として記憶し、前記オーバーフロー部に保有する貨幣の金種毎及び合計の金額をオーバーフロー部在高として記憶し、前記貨幣収納部及び前記オーバーフロー部に保有すべき貨幣の合計金額を所要在高として記憶する記憶部と、入金処理時は前記貨幣収納部へ収納した貨幣枚数に応じて前記記憶部の現金在高及び所要在高を更新すると共に、前記オーバーフロー部へ収納した貨幣があればその収納貨幣に応じて前記オーバーフロー部在高を更新し、出金処理時は前記貨幣収納部から投出した貨幣枚数に応じて前記記憶部の現金在高及び所要在高を更新し、オーバーフロー回収処理時は前記現金在高及びオーバーフロー部在高を更新し、オーバーフロー補充処理時は前記現金在高を更新すると共に前記オーバーフロー部へ収納した貨幣があればその収納枚数に応じて前記オーバーフロー部在高を更新する演算処理手段と、精算処理時に前記現金在高と前記所要在高とを比較し、その比較結果を出力する比較手段と、前記比較手段の比較結果を出力する出力手段とを具備したことを特徴とするものである。
【０００６】
出力手段は少なくとも表示部、印字部またはインターフェイス部から構成することができる。
【０００７】
【発明の実施の態様】
図２は本発明を適用する貨幣処理装置の外観を示すものである。図２に示す貨幣処理装置２０においては、前面上部左方に斜め上向きに紙幣出金口２１、表示部２２、及び操作部２３が設けられ、前面上部右方にジャーナルプリンタ２４、及び紙幣入金口２５が設けられている。前面下部には紙幣処理ユニットキーホール２６、硬貨処理ユニツトキーホール２７、硬貨出金口２８、硬貨入金口２９、オーバーフロー部キーホール３０、オーバーフロー部３１、及び硬貨リジェクト口３２が設けられている。表示部２２及びジャーナルプリンタ２４は本発明にいう出力手段を構成する。
【０００８】
紙幣処理ユニットキーホール２６に係合するキーにより図示していない内部の紙幣処理ユニット（図３：紙幣処理部４１）が施錠され、硬貨処理ユニツトキーホール２７に係合するキーにより同様に内部の硬貨ユニット（図３：硬貨処理部４２）が施錠され、オーバーフロー部キーホール３０に係合するキーによりオーバーフロー部３１が施錠される。これらの各キーを用いない限り、係員が内部の貨幣に直接触れることができないようにしている。また、各取引処理毎に取引データをログし、ユニット等の開閉毎にユニット開閉データをログする。
【０００９】
入金処理時は、操作部２３で入金の操作を行い、入金が紙幣で行われるか硬貨で行われるかに従い、紙幣入金口２５に入金紙幣を投入し、硬貨入金口２９に入金硬貨を投入すると、それらを計数して表示部２２に計数金額を表示するとともに、正常と判断された紙幣及び（又は）硬貨は、各処理部が満杯にならない限り、紙幣収納部及び硬貨収納部からなる貨幣収納部に収納される。硬貨収納部が満杯になった金種の硬貨はオーバーフロー部３１へ収納される。また、異常と判断された紙幣は紙幣出金口２１ヘ排出され、異常と判断された硬貨は硬貨リジェクト口３２ヘ排出される。出金処理時は、操作部２３で出金の操作を行うと、出金紙幣は紙幣収納部から紙幣出金口２１ヘ投出され、出金硬貨は硬貨収納部から硬貨出金口２８ヘ投出され、出金金額が表示部２２に表示される。
【００１０】
出金のために用いることの可能な硬貨収納部の硬貨が少なくなってくると、直接には出金硬貨として利用できないオーバーフロー部３１内の硬貨を出金用硬貨として利用するために、操作部２３でオーバーフロー回収の処理操作を行い、オーバーフロー部キーホール３０にキーを挿入することにより解錠して、オーバーフロー部３１を引き出し、オーバーフロー部３１に収納されている硬貨を取り出し、オーバーフロー部３１を元に戻して施錠する。次に、操作部２３上でオーバーフロー補充の操作を行い、オーバーフロー回収で取り出した硬貨を硬貨入金口２９に投入し、計数して表示部２２に計数金額を表示するとともに、正常と判断された硬貨は硬貨収納部に収納し、収納部が満杯になった金種の硬貨は、オーバーフロー部３１へ収納され、異常と判断された硬貨は硬貨リジェクト口３２ヘ投出する。
【００１１】
営業時間終了後、操作部２３で精算処理の操作を行い、比較手段１７で貨幣処理装置２０内に現実に保有している貨幣の在高と計数上の在高（貨幣の現金在高と所要在高）を比較し、両者が一致していれば表示部２２に一致している旨を表示すると共に、ジャーナルプリンタ２４で一致内容を印字する。一致していなければ、表示部２２に不一致である旨を表示すると共に、ジャーナルプリンタ２４で不一致内容を印字する。次に、貨幣処理装置２０内の貨幣収納部から貨幣を全て投出すると共に、オーバーフロー部３１から硬貨を全て取り出し、現実に存在する貨幣の在高と投出前の所要在高とを比較する。両者が不一致であれば、取引データやユニットの開閉ログ等を解析して不一致の原因を調査する。
【００１２】
図３は、貨幣処理装置２０の機能ブロック図を示すものである。貨幣処理装置２０は演算制御部１０を含んでおり、この演算制御部１０に、紙幣の入出金処理を行う紙幣処理部４１、硬貨の入出金処理を行う硬貨処理部４２、計数金額等を表示する表示部４３、処理を指定しデータを入力する入力部４４、計数結果等を印字する印字部４５、外部の上位機（例えばＰＯＳシステム）との通信を行うためのインターフェイス部（Ｉ／Ｆ部）４６等が接続されている。ここでは表示部４３及び印字部４５が表示手段を構成する。演算制御部１０はＣＰＵを中心としてメモリ等を含むマイクロコンピュータ・システムとして構成され、それに接続されている各機器の演算制御を司る。紙幣処理部４１は紙幣出金口２１及び紙幣入金口２５を介して行われる紙幣の入出金処理を行う。硬貨処理部４２は硬貨出金口２８、硬貨入金口２９、オーバーフロー部３１及び硬貨リジェクト口３２を介して行われる硬貨の入出金処理を行う。表示部４３は図２の表示部２２に対応し、入力部４４は操作部２３に対応し、印字部４５は図２のジャーナルプリンタ２４に対応する。
【００１３】
演算制御部１０は、図１に示すように、紙幣処理部４１に含まれる紙幣収納部の在高を管理するための紙幣部在高記憶部１１と、硬貨処理部４２に含まれる硬貨収納部の在高を管理するための硬貨部在高記憶部１２と、硬貨処理部４２に含まれるオーバーフロー部３１の在高を管理するためのオーバーフロー部在高記憶部１３と、紙幣部在高と硬貨部在高とオーバーフロー部在高とを加算したものに等しいものとして計算される貨幣処理装置内の在高を管理するための現金在高記憶部１４と、紙幣処理装置２０内に保有されているべき在高を管理するための所要在高記憶部１５と、各記憶部に接続された演算処理手段１６と、記憶部１４及び１５に接続された比較手段１７とを備えている。各在高記憶部１１〜１５は、図４〜８を参照して説明するように、金種毎の枚数及び金額の記憶部とトータル金額記憶部とから構成され、処理内容に応じて演算処理手段１６により金種毎に加減算され更新されると共に、それらの推移の過程がヒストリとして記憶される。
【００１４】
演算処理手段１６は、紙幣部在高記憶部１１に記憶する紙幣部在高に関しては、入金処理時とオーバーフロー補充処理時に紙幣収納部へ収納した紙幣分を加算処理し、出金処理時に紙幣収納部から投出した紙幣分を減算処理する。硬貨部在高記憶部１２に記憶する硬貨部在高に関しては、入金処理時とオーバーフロー補充処理時に硬貨収納部へ収納した硬貨分を加算処理し、出金処理時に硬貨収納部から投出した硬貨分を減算処理する。オーバーフロー部在高記憶部１３に記憶するオーバーフロー部在高に関しては、入金処理時又はオーバーフロ一補充処理時にオーバーフロー部３１へ収納した硬貨分を加算処理し、オーバーフロー回収時にゼロ値にする。このように、オーバーフロー部在高をゼロにするのは、オーバーフロー部３１から硬貨を取り出すときは全ての硬貨を取り出すことを前提にしているためである。また、現金在高に関しては、入金処理時に貨幣収納部へ収納した貨幣分とオーバーフロ一部３１へ収納した硬貨分を加算処理し、出金処理時に貨幣収納部から投出した貨幣分を減算処理し、オーバーフロー回収処理時にオーバーフロー部在高を減算処理し、オーバーフロ一補充処理時に硬貨収納部へ収納した硬貨分とオ一バーフロー部３１へ収納した硬貨分を加算処理する。最後に所要在高に関しては、入金処理時に貨幣収納部へ収納した貨幣分とオーバーフロー部３１へ収納した硬貨分を加算処理し、出金処理時に貨幣収納部から投出した貨幣分を減算処理する。
【００１５】
図４ないし図８は各記憶部１１〜１５の記憶内容を示す図である。
紙幣部在高記憶部１１は、図４に示すように、紙幣部在高記憶部として、万円紙幣枚数（及び金額）記憶部１１１と、５千円紙幣枚数（及び金額）記憶部１１２と、千円紙幣枚数（及び金額）記憶部１１３と、トータル金額記憶部１１０とを含んでいる。
【００１６】
硬貨部在高記憶部１２は、図５に示すように、硬貨部在高記憶部として、５００円硬貨枚数（及び金額）記憶部１２１と、１００円硬貨枚数（及び金額）記憶部１２２と、５０円硬貨枚数（及び金額）記憶部１２３と、１０円硬貨枚数（及び金額）記憶部１２４と、５円硬貨枚数（及び金額）記憶部１２５と、１円硬貨枚数（及び金額）記憶部１２６と、トータル金額記憶部１２０とを含んでいる。
【００１７】
オーバーフロー部在高記憶部１３は、図６に示すように、オーバーフロー部在高記憶部として、５００円硬貨枚数（及び金額）記憶部１３１と、１００円硬貨枚数（及び金額）記憶部１３２と、５０円硬貨枚数（及び金額）記憶部１３３と、１０円硬貨枚数（及び金額）記憶部１３４と、５円硬貨枚数（及び金額）記憶部１３５と、１円硬貨枚数（及び金額）記憶部１３６と、トータル金額記憶部１３０とを含んでいる。
【００１８】
現金在高記憶部１４は、図７に示すように、現金在高記憶部として、万円紙幣枚数（及び金額）記憶部１４１と、５千円紙幣枚数（及び金額）記憶部１４２と、千円紙幣枚数（及び金額）記憶部１４３と、５００円硬貨枚数（及び金額）記憶部１４４と、１００円硬貨枚数（及び金額）記憶部１４５と、５０円硬貨枚数（及び金額）記憶部１４６と、１０円硬貨枚数（及び金額）記憶部１４７と、５円硬貨枚数（及び金額）記憶部１４８と、１円硬貨枚数（及び金額）記憶部１４９と、トータル金額記憶部１４０とを含んでいる。
【００１９】
所要在高記憶部１５は、図８に示すように、所要在高記憶部として、万円紙幣枚数（及び金額）記憶部１５１と、５千円紙幣枚数（及び金額）記憶部１５２と、千円紙幣枚数（及び金額）記憶部１５３と、５００円硬貨枚数（及び金額）記憶部１５４と、１００円硬貨枚数（及び金額）記憶部１５５と、５０円硬貨枚数（及び金額）記憶部１５６と、１０円硬貨枚数（及び金額）記憶部１５７と、５円硬貨枚数（及び金額）記憶部１５８と、１円硬貨枚数（及び金額）記憶部１５９と、トータル金額記憶部１５０とを含んでいる。
【００２０】
次に、図９及び図１０を参照し、貨幣処理装置２０の処理内容の具体例について説明する。
図９は、オーバーフロ一回収で５０００円分の硬貨をオーバーフロー部３１から取り出し、オーバーフロー回収で取り出した硬貨５０００円分をオーバーフロー補充する場合の例を示すものである。
【００２１】
＜１．営業開始前の各在高＞
仮に営業開始前の紙幣部在高、硬貨部在高、オーバーフロー部在高、現金在高、及び所要在高がそれぞれ在高記憶部１１〜１５のトータル金額記憶部１１０，１２０，１３０，１４０及び１５０に、単位を［円］として、
紙幣部在高            …  ９０，０００
硬貨部在高            …  １０，０００
オーバーフロー部在高  …            ０
現金在高              …１００，０００
所要在高              …１００，０００
と記憶されているものとする。なお、営業開始前に用意する準備金は、在高記憶部１１〜１５の記憶値と現実の各貨幣の金額が一致するよう初期装填処理で用意しておくものとする。
【００２２】
＜２．営業中の売上による各在高の変化＞
営業中、１回目の売上により、９，５００円の売上入金があり、その入出金の内訳が、万円紙幣×１の入金、５００円硬貨×１の釣出金であったとすれば、まず、売上入金の段階で、営業開始前の各在高が演算処理手段１６により次のように更新される。
紙幣部在高            …１００，０００
硬貨部在高            …  １０，０００
オーバーフロー部在高  …            ０
現金在高              …１１０，０００
所要在高              …１１０，０００
次に、釣出金により各在高が、
紙幣部在高            …１００，０００
硬貨部在高            …    ９，５００
オーバーフロー部在高  …            ０
現金在高              …１０９，５００
所要在高                １０９，５００
と更新される。
【００２３】
＜３．営業中の以降の売上による各在高の変化＞
次に、以降の売上により、最初の売上後の各在高が仮に次のように変化したとする。
紙幣部在高            …１８５，０００
硬貨部在高            …    ４，７００
オーバーフロー部在高  …    ５，０００
現金在高              …１９４，７００
所要在高                １９４，７００
この在高状態の後、次の売上として、５，３００円の売上入金があり、その入出金の内訳が、５千円紙幣×１及び１００円硬貨×３の入金、釣出金ゼロであったとすれば、各在高は次のように更新される。
紙幣部在高            …１９０，０００
硬貨部在高            …    ５，０００
オーバーフロー部在高  …    ５，０００
現金在高              …２００，０００
所要在高                ２００，０００
この場合は、釣出金がゼロであるとしているので、釣出金による各在高の変化はない。
【００２４】
＜４．オーバーフロー回収による各在高の変化＞
上記３の段階の後、オーバーフロー部３１から硬貨５，０００円分のオーバーフロー回収をしたものとすれば、各在高が次のように変化する。
紙幣部在高            …１９０，０００
硬貨部在高            …    ５，０００
オーバーフロー部在高  …            ０
現金在高              …１９５，０００
所要在高                ２００，０００
この段階では、所要在高の更新は行われない。
【００２５】
＜５．オーバーフロー補充による各在高の変化＞
オーバーフロー回収をした場合、それに伴い同額の５，０００円のオーバーフロー補充を硬貨収納部に対してする。これにより、各在高は、
紙幣部在高            …１９０，０００
硬貨部在高            …  １０，０００
オーバーフロー部在高  …            ０
現金在高              …２００，０００
所要在高                ２００，０００
と変化する。
【００２６】
＜６．営業中のその後の売上による各在高の変化＞
その後の売上により、８，０００円の売上入金があり、その入出金の内訳が、万円紙幣×１の入金、千円紙幣×２の釣出金であったとすれば、まず、売上入金の段階で、オーバーフロー補充後の各在高が、
紙幣部在高            …２００，０００
硬貨部在高            …  １０，０００
オーバーフロー部在高  …            ０
現金在高              …２１０，０００
所要在高                ２１０，０００
と更新される。
次に、釣出金により各在高が、
紙幣部在高            …１９８，０００
硬貨部在高            …  １０，０００
オーバーフロー部在高  …            ０
現金在高              …２０８，０００
所要在高                ２０８，０００
と更新される。
【００２７】
精算処理時は、現金在高記憶部１４に記憶されている現金在高と所要在高記憶部１５に記憶されている所要在高とを比較手段１７により比較することにより、結果的に両者が一致することを確認することができる。既に述べたように、両在高が一致する場合は、表示部４３（図２：表示部２２）に一致している旨を表示すると共に、印字部４５（プリンタ２４）で一致内容を印字する。一致していなければ、表示部４３（表示部２２）に不一致である旨を表示すると共に、印字部４５（プリンタ２４）で不一致内容を印字する。  図１０は、図９の場合に比較して、オーバーフロー補充の金額だけが異なる場合を示すものである。すなわち、オーバーフロー補充をオーバーフロー回収で抜き取った硬貨５０００円の内の３０００円分しか行わず、その後、売上８０００円があった場合を示している。図９の場合に準じて示せば次の通りである。
【００２８】
＜５′．オーバーフロー補充による各在高の変化＞
上記オーバーフロー回収５，０００円の後、それより少ない金額の３，０００円のオーバーフロー補充を硬貨部に対してしたとすれば、各在高は次のように変化する。
紙幣部在高            …１９０，０００
硬貨部在高            …    ８，０００
オーバーフロー部在高  …            ０
現金在高              …１９８，０００
所要在高                ２００，０００
この段階で現金在高と所要在高とが異なる（現金在高＜所要在高）ことに留意すべきである。
【００２９】
＜６′．営業中の売上３′による各在高の変化＞
次に、上記と同様に、８，０００円の売上入金があり、その入出金の内訳が、万円紙幣×１の入金、千円紙幣×２の釣出金であったとすれば、まず、売上入金の段階で、オーバーフロー補充後の各在高が次のように変化する。
紙幣部在高            …２００，０００
硬貨部在高            …    ８，０００
オーバーフロー部在高  …            ０
現金在高              …２０８，０００
所要在高                ２１０，０００
次に、釣出金により各在高は次のように変化する。
紙幣部在高            …１９８，０００
硬貨部在高            …    ８，０００
オーバーフロー部在高  …            ０
現金在高              …２０６，０００
所要在高                ２０８，０００
【００３０】
このように、精算前の現金在高は２０万６千円、所要在高は２０万８千円となり、精算処理で比較を行うと、硬貨２０００円分が不一致（現金在高不足）となっていることが分かる。そこで金種毎の不一致枚数とトータル不一致金額をジャーナルプリンタ２４により印字出力する。この印字結果に基づいて、取引データログのオーバーフロー回収処理とオーバーフロー補充処理を分析することにより、不一致の原因を容易に追及することができる。
【００３１】
上述の実施の態様では、オーバーフロー部３１に硬貨のみが収納されるものとして説明したが、オーバーフロー部３１に紙幣のみ、又は紙幣と硬貨の両方を収納できるようにしてもよい。
【００３２】
また、上述の実施の態様では、紙幣と硬貨の両方を処理できる貨幣処理装置について述べたが、本発明はそれぞれの専用機すなわち硬貨処理機又は紙幣処理機に対しても適用することができる。
【００３３】
さらに、上述の実施の態様では、比較結果の出力手段としての表示手段に比較結果を出力したが、比較結果の出力手段としてのインターフェイス部に比較結果を出力し、外部の表示部、印字部に表示させても良い。
【００３４】
【発明の効果】
以上説明したように本発明によれば、精算時に現金在高と所要在高を比較することにより釣銭補充のためのオーバーフロー回収及びオーバーフロー補充が正常に行われたか否かをチェックすることができ、比較結果が不一致であればトータル金額や金種毎の枚数がどれだけ違っていたのかをプリンタにより印字出力し、その出力結果に基づいてログ解析をして原因を調査できるので、オペレータの負担を軽減し、営業時間外の精算時に落ち着いて原因調査を行うことができ、原因調査のために営業中に長時間装置運用を停止したりしなくてもよいという効果がある。
【図面の簡単な説明】
【図１】図３の貨幣処理装置における演算制御部の内部構成を示す機能ブロック図。
【図２】本発明による貨幣処理装置の実施の一形態を示す斜視図。
【図３】本発明による貨幣処理装置の機能ブロック図。
【図４】図１の紙幣部在高記憶部の構成を示す図。
【図５】図１の硬貨部在高記憶部の構成を示す図。
【図６】図１のオーバーフロー部在高記憶部の構成を示す図。
【図７】図１の現金在高記憶部の構成を示す図。
【図８】図１の所要在高記憶部の構成を示す図。
【図９】正常な処理を行った時の各記憶部の値の推移を示す図表。
【図１０】異常な処理を行った時の各記憶部の値の推移を示す図表。
【符号の説明】
１０  演算制御部
１１  紙幣部在高記憶部
１２  硬貨部在高記憶部
１３  オーバーフロー部在高記憶部
１４  現金在高記憶部
１５  所要在高記憶部
１６  演算処理手段
１７  比較手段
２０  貨幣処理装置
２１  紙幣出金口
２２  表示部
２３  操作部
２４  ジャーナルプリンタ
２５  紙幣入金口
２６  紙幣処理ユニットキーホール
２７  硬貨処理ユニツトキーホール
２８  硬貨出金口
２９  硬貨入金口
３０  オーバーフロー部キーホール
３１  オーバーフロー部
３２  硬貨リジェクト口
４１  紙幣処理部
４２  硬貨処理部
４３  表示部
４４  入力部
４５  印字部
４６  インターフェイス部（Ｉ／Ｆ部）
【図１】
0003929531.tif 000002
【図２】
0003929531.tif 000003
【図３】
0003929531.tif 000004
【図４】
0003929531.tif 000005
【図５】
0003929531.tif 000006
【図６】
0003929531.tif 000007
【図７】
0003929531.tif 000008
【図８】
0003929531.tif 000009
【図９】
0003929531.tif 000010
【図１０】
0003929531.tif 000011